(57)【要約】【課題】画像記録装置によって記録した画像に他の画像や文字を合成した印刷物を単体で容易に作成することができるプリンタを提供する。【解決手段】データ取得部７は、全てのファイルの識別子が合成用データの属性を表わす識別子である場合、フレームカードからいずれか一つの合成用データを取得し、全てのファイルの識別子が画像データの属性を表わす識別子である場合、メモリカードから画像データを取得する。制御部３は、フレームカードから取得される合成用データの識別子に対応するパラメータをＲＯＭから検索し、このパラメータを用いてメモリカードから取得される画像データを合成用データに合成して印刷データを生成する。【選択図】　図１
2004001483.tif 000002
【特許請求の範囲】
【請求項１】
任意の画像に対し所定の画像を合成して印刷するための合成用データと前記合成用データの属性を表わす識別データとを有する合成用ファイルが記録された第１の記録媒体からいずれか一つの合成用ファイルを取得する合成用ファイル取得手段と、
前記第１の記録媒体から取得される合成用データを格納する記憶手段と、
前記第１の記録媒体から取得される識別データに対応するパラメータを所定のテーブルから検索するパラメータ検索手段と、
任意の画像データが記録された第２の記録媒体から少なくとも一つの画像データを取得する画像データ取得手段と、
前記パラメータを用いて、前記第２の記録媒体から取得される画像データ及び前記記憶手段に格納された合成用データを合成し印刷データを生成する合成手段と、
前記印刷データに基づいて印刷媒体に画像を印刷する印刷手段と、
を備えることを特徴とするプリンタ。
【請求項２】
任意の画像に対し所定の画像を合成して印刷するための合成用データと前記合成用データの属性を表わす識別データとを有する合成用ファイルが記録された第１の記録媒体、又は任意の画像データと前記画像データの属性を表わす識別データとを有する画像ファイルが記録された第２の記録媒体から全ての識別データを取得する判別手段と、
前記全ての識別データが前記合成用データの属性を表わす識別情報である場合、前記第１の記録媒体からいずれか一つの合成用データを取得し、前記全ての識別データが前記画像データの属性を表わす識別データである場合、前記第２の記録媒体から少なくとも一つの画像データを取得するデータ取得手段と、
前記第１の記録媒体から取得される合成用データ及び前記第２の記録媒体から取得される画像データを格納する記憶手段と、
前記第１の記録媒体から取得される合成用データの識別データに対応するパラメータを所定のテーブルから検索するパラメータ検索手段と、
前記パラメータを用いて前記第２の記録媒体から取得される画像データ及び前記記憶手段に格納された合成用データを合成し印刷データを生成する合成手段と、
前記印刷データに基づいて印刷媒体に画像を印刷する印刷手段と、
を備えることを特徴とするプリンタ。
【請求項３】
前記第１の記録媒体から取得した合成用ファイルの識別データに対応する印刷条件を表示する表示手段を備えることを特徴とする請求項１又は２記載のプリンタ。
【請求項４】
任意の画像に対し所定の画像を合成して印刷するための合成用データと前記合成用データの属性を表わす識別データとを有する合成用ファイルを取得する段階と、
前記識別データに対応するパラメータを所定のテーブルから検索する段階と、
画像データを取得する段階と、
前記パラメータを用いて前記画像データ及び合成用データを合成し印刷データを生成する段階と、
前記印刷データに基づいて印刷媒体に画像を印刷する段階と、
を含むことを特徴とする印刷方法。
【請求項５】
任意の画像に対し所定の画像を合成して印刷するための合成用データと前記合成用データの属性を表わす識別データとを有する合成用ファイルを取得する手順と、
前記識別データに対応するパラメータを所定のテーブルから検索する手順と、
画像データを取得する手順と、
前記パラメータを用いて前記画像データ及び合成用データを合成し印刷データを生成する手順と、
前記印刷データに基づいて印刷媒体に画像を印刷する手順と、
をコンピュータに実行させるためのプログラムを記録したコンピュータ読み取り可能な記録媒体。
【請求項６】
前記取得した合成用ファイルの識別データに対応する印刷条件を表示する手順を含む請求項５記載のコンピュータ読み取り可能な記録媒体。
【発明の詳細な説明】
【０００１】
【発明の属する技術分野】
本発明は、プリンタ及び印刷方法に関し、特に画像を合成して印刷するプリンタ及び印刷方法に関する。
【０００２】
【従来の技術】
近年、デジタルカメラの普及に伴い、デジタルカメラからケーブルを通して直接データを伝送し、又は記録媒体に記録したデータを読み出すことによりデジタルカメラによって撮影した画像を印刷することが可能なプリンタが開発されている。このようなプリンタは、デジタルカメラによって撮影した画像を感光フィルムから現像された写真と同じように印刷することができる。
【０００３】
また、デジタルカメラによって撮影される画像は電子データとして記録されるため、パーソナルコンピュータ（以下、ＰＣという。）上で画像処理アプリケーションを用いて画像を加工し、プリンタを用いて印刷することにより、紙面上に画像を文書やイラストとともにレイアウトした年賀状若しくはカレンダー、又は枠付きの写真シール等を作成することができる。
【０００４】
【発明が解決しようとする課題】
しかし、従来のプリンタによると、ＰＣを所有していないデジタルカメラのユーザやパソコンの取り扱いに不慣れなデジタルカメラのユーザは、プリンタ単体の簡単な操作によって他の画像や文字とともに撮影した画像をレイアウトした印刷物を作成することができないという課題があった。
【０００５】
また、ＰＣ上で画像処理アプリケーションを用いて撮影した画像を加工するため、他の画像や文字とともに撮影した画像をレイアウトした印刷物を作成するのに手間がかかり長時間を要するという課題があった。
【０００６】
本発明は上記の課題を解決するために創作されたものであって、デジタルカメラ等の画像記録装置によって記録した画像を他の画像や文字とともにレイアウトした印刷物を単体で作成するプリンタ及び印刷方法を提供することを目的とする。
【０００７】
本発明の別の目的は、デジタルカメラ等の画像記録装置によって記録した画像を他の画像や文字とともにレイアウトした印刷物を作成することが容易なプリンタ及び印刷方法を提供することを目的とする。
【０００８】
本発明のまた別の目的は、デジタルカメラ等の画像記録装置によって記録した画像を他の画像や文字とともにレイアウトした印刷物を短時間で作成するプリンタ及び印刷方法を提供することを目的とする。
【０００９】
【課題を解決するための手段】
本発明のプリンタは、合成用ファイル取得手段と、記憶手段と、パラメータ検索手段と、画像データ取得手段と、合成手段と、印刷手段とを備える。合成用ファイル取得手段は、任意の画像に対し所定の画像を合成して印刷するための合成用データと合成用データの属性を表わす識別データとを有する合成用ファイルが記録された第１の記録媒体からいずれか一つの合成用ファイルを取得する。記憶手段は第１の記録媒体から取得される合成用データを格納する。パラメータ検索手段は、第１の記録媒体から取得される識別データに対応するパラメータを所定のテーブルから検索する。画像データ取得手段は、任意の画像データが記録された第２の記録媒体から少なくとも一つの画像データを取得する。合成手段は、パラメータを用いて第２の記録媒体から取得される画像データ及び記憶手段の合成用データを合成し印刷データを生成する。印刷手段は、印刷データに基づいて紙などの印刷媒体に画像を印刷する。このプリンタによると、合成用データ及び画像データを合成して印刷データを生成するためのパラメータが識別データによって所定のテーブルから検索されるため、他の画像や文字とともに画像記録装置によって記録した画像がレイアウトされる印刷物をプリンタ単体で作成することができる。また、そのような印刷物を容易に短時間で作成することができる。
【００１０】
本発明の他のプリンタは、判別手段と、データ取得手段と、記憶手段と、パラメータ検索手段と、合成手段と、印刷手段とを備える。判別手段は、任意の画像に対し所定の画像を合成して印刷するための合成用データと合成用データの属性を表わす識別データとを有する合成用ファイルが記録された第１の記録媒体、又は任意の画像データと画像データの属性を表わす識別データとを有する画像ファイルが記録された第２の記録媒体から全ての識別データを取得する。データ取得手段は、全ての識別データが合成用データの属性を表わす識別データである場合、第１の記録媒体からいずれか一つの合成用データを取得し、全ての識別データが画像データの属性を表わす識別データである場合、第２の記録媒体から少なくとも一つの画像データを取得する。パラメータ検索手段は、第１の記録媒体から取得される合成用データの識別データに対応するパラメータを所定のテーブルから検索する。合成手段は、パラメータを用いて第２の記録媒体から取得される画像データ及び記憶手段の合成用データを合成し印刷データを生成する。印刷手段は、印刷データに基づいて紙等の印刷媒体に画像を印刷する。このプリンタによると、第１の記録媒体と第２の記録媒体が識別データによって判別され、合成用データ及び画像データを合成して印刷データを生成するためのパラメータが識別データによって所定のテーブルから検索されるため、他の画像や文字とともに画像記録装置によって記録した画像をレイアウトする印刷物をプリンタ単体で容易に作成することができる。
【００１１】
本発明のプリンタは、さらに第１の記録媒体から取得した合成用ファイルの識別データに対応する印刷条件を表示する表示手段を備えるため、ユーザは印刷条件の表示を確認しながら他の画像や文字とともに画像記録装置によって記録した画像をレイアウトする印刷物をプリンタ単体で容易に作成することができる。すなわち、出力に必要な印刷用紙サイズ、印刷用紙種類を容易に判別することができる。
【００１２】
本発明の印刷方法によると、任意の画像に対し所定の画像を合成して印刷するための合成用データと合成用データの属性を表わす識別データとを有する合成用ファイルを取得し、識別データに対応するパラメータを所定のテーブルから検索する。画像データ取得し、パラメータを用いて画像データ及び合成用データを合成して印刷データを生成し、印刷データに基づいて紙面に画像を印刷する。このため、他の画像や文字とともに画像記録装置によって記録した画像がレイアウトされる印刷物を容易に短時間で作成することができる。
【００１３】
本発明の記録媒体に記録されたプログラムによると、任意の画像に対し所定の画像を合成して印刷するための合成用データと合成用データの属性を表わす識別データとを有する合成用ファイルを取得する手順と、識別データに対応するパラメータを所定のテーブルから検索する手順と、画像データを取得する手順と、パラメータを用いて画像データ及び合成用データを合成し印刷データを生成する手順と、印刷データに基づいて紙面に画像を印刷する手順とを含む。したがって、合成用データ及び画像データを合成して印刷データを生成するためのパラメータが識別データによって所定のテーブルから検索されるため、他の画像や文字とともに画像記録装置によって記録した画像がレイアウトされる印刷物をプリンタを用いて容易に短時間で作成することができる。
【００１４】
本発明の記録媒体に記録されたプログラムによると、さらに識別データに対応する印刷条件を表示する手順を含むため、ユーザは印刷条件の表示を確認しながら他の画像や文字とともに画像記録装置によって記録した画像をレイアウトする印刷物をプリンタ単体で容易に作成することができる。すなわち、出力に必要な印刷用紙サイズ、印刷用紙種類を容易に判別することができる。
【００１５】
【発明の実施の形態】
以下、本発明の実施の形態を示す実施例について、図面に基づき詳細に説明する。
本発明の一実施例によるプリンタを図１及び図２に示す。このプリンタ１は、メモリカードなどの記録媒体に種々の合成用ファイルが格納されたフレームカードから合成用ファイルを選択的に取得して記憶し、デジタルカメラによって記録した画像ファイルが格納された記録媒体から画像データを選択的に取得して記憶し、合成用データと画像データを合成して画像が合成された印刷物を作成するためのものである。
【００１６】
フレームカードは、合成用データと識別データからなる合成用ファイルが複数記録されているＰＣＭＣＩＡ規格のメモリカードである。この合成用データが表わす画像は、例えば写真画像の装飾枠、写真画像がはがきにレイアウトされる年賀状やクリスマスカードの文書やイラスト、写真画像がＡ４用紙にレイアウトされるカレンダーの日付が配列された画像等である。識別データは、合成用ファイルに含まれるデータの種別を表わす識別子、及び各合成用データのフレーム番号を含む。所定のレイアウト、印刷サイズ、及び解像度で印刷されることを前提として作られた合成用データの種別ごとに予めいくつかの識別子を決めておく。例えば、１６コマの装飾枠に同じ写真画像をはめ込んだはがきサイズのシール紙を作成する合成用データの識別子を「ｆｒｍ．」とし、写真画像の下方に年賀状文書を付して年賀はがきを作成するためのの合成用データの識別子を「ｍｓｇ．」とし、写真画像の下方にカレンダーの日付を付してＡ４カレンダーを作るための合成用データの識別子を「ｃｌｄ．」等としておく。
【００１７】
図２に示すプリンタ１は、図１に示すように、印刷部２と、制御部３と、表示部４と、操作部５と、ガイド部６と、データ取得部７と、記憶部８とを備える。印刷部２と、制御部３と、表示部４と、操作部５と、ガイド部６と、データ取得部７と、記憶部８とは図２に示す箱型のハウジング９に備えられる。
【００１８】
図２に示すように、ハウジング９は、上面に表示部４及び操作部５を備え、前面にデータ取得部７と電源スイッチ９１とインク切れや用紙切れを知らせる警告ランプ９２とガイド部６とを備え、内部に図示しない印刷部２と、制御部３と、記憶部８とを備える。ハウジング９の上面と前面下部には、それぞれ用紙供給口９３と用紙排出口９４とが形成される。用紙供給口９３には用紙トレー９５が、用紙排出口９４には用紙排出トレー９６がそれぞれ取り外し可能に係止される。
【００１９】
データ取得手段としてのデータ取得部７は、ハウジング９前面上方に備えられ、カードスロット７１と、記録媒体に記録された合成用ファイル及び画像データを読み出して制御部３に伝送する図示しないリーダとを有する。カードスロット７１には、記録媒体としてＰＣＭＣＩＡ規格のメモリカード、又は一般にデジタルカメラに用いられているコンパクトフラッシュカード等の記録媒体をアダプタとともに挿入することができる。
【００２０】
判別手段及び合成手段としての制御部３は、ＣＰＵ（Ｃｅｎｔｒａｌ　Ｐｒｏｃｅｓｓｉｎｇ　Ｕｎｉｔ）と、制御用プログラムが記録されたＲＯＭ（ｒｅａｄ　ｏｎｌｙ　ｍｅｍｏｒｙ）を有する。ＲＯＭには、予め決められた識別子とそれぞれの識別子に対応するパラメータを格納したテーブルが記憶されている。ＲＯＭには、例えば、上述の例による識別子「ｆｒｍ．」、「ｍｓｇ．」、「ｃｌｄ．」に対応させて図９に示すようなテーブルを記録する。このテーブルには、識別子ごとに画像データの割り付け位置、印刷用紙サイズ、印刷用紙種類、印刷品質等のパラメータが格納される。これらのパラメータは、印刷データの生成に用いられる他、表示部４の液晶パネルに印刷条件を表示するために用いられる。これらのパラメータは、例えば、画像データを紙面上に割り付ける位置及び大きさを絶対座標で表したものであり、或いは印刷用紙サイズを示す参照符号等である。これらのパラメータをＣＰＵが合成処理の際に参照することによって、画像データに対し拡大縮小等の画像処理が施され、画像処理が施された画像データが合成用データと合成される。ＣＰＵは、データ取得部７を経由して記録媒体から全ての識別データを取得し、ＲＯＭに記録しているテーブルから識別データに対応するパラメータを検索し、このパラメータを用いて合成用データ及び画像データを合成して印刷部２が解釈して実行することのできる印刷データを生成して記憶部８に格納する。また、ＣＰＵは、操作部５から印刷の依頼を受け付けると印刷データに基づいて印刷部２を制御する。
【００２１】
記憶手段としての記憶部８は、データ取得部７によって取得される合成用ファイル及び画像データ、並びに制御部３において生成された印刷データ等を格納するためのＲＡＭ（Ｒａｎｄｏｍ　Ａｃｃｅｓｓ　Ｍｅｍｏｒｙ）を有する。
【００２２】
操作部５はハウジング９上面に備えられ、図３に示すように、キーパネル５０上に種々のキーを有する。
プリント開始キー５０１は、キーパネル５０の最も手前すなわちデータ取得部７に近い側に備えられ、すべてのキーの中で最も大きく目立つ外観を有し、操作面は透明の材料からなり操作面の内側に図示しないＬＥＤ（Ｌｉｇｈｔ　Ｅｍｉｔｔｅｄ　Ｄｉｏｄｅ）が備えられる。このＬＥＤは、印刷開始が可能な状態で点滅するように制御される。このプリント開始キー５０１が押下されるとＣＰＵに印刷の依頼が送信される。
【００２３】
全印刷キー５０２とインデックスキー５０３とは、キーパネル５０の最も手前にプリント開始キー５０１と並んで備えられ、全てのキーの中でプリント開始キー５０１に次いで大きく、角の丸まった長方形の形状を有し、操作面は透明の材料からなりそれぞれの操作面の内側に図示しないＬＥＤが備えられる。
範囲指定キー５０５と１コマキー５０４とは、全印刷キー５０２とインデックスキー５０３の奥に並んで備えられ、それらに比べて一回り小さい楕円形状を有し、操作面は透明の材料からなりそれぞれの操作面の内側にＬＥＤが備えられる。
【００２４】
全印刷キー５０２、インデックスキー５０３、範囲指定キー５０５及び１コマキー５０４は、そのうちのいずれか１つを選択できるキーであって、選択されているキーのＬＥＤが発光する。
上キー５０６と下キー５０７とは、１コマキー５０４の奥すなわち表示部４に近い側に縦に並んで備えられ、それぞれ線対称な三角形状を有する。
【００２５】
右キー５０９と左キー５０８とは、上キー５０６と下キー５０７に隣接してプリント開始キー５０１の奥に横に並んで備えられ、それぞれ線対称な三角形状を有する。右キー５０９と左キー５０８とは、表示部４の各セクションにおける印刷条件の細目を変更する。
フレームキー５１０とフィルタキー５１１とは、プリント開始キー５０１の奥で右キー５０９と左キー５０８の手前に備えられ、全てのキーの中で最も小さい。
【００２６】
中止キー５１２は、プリント開始キー５０１の奥に備えられ、フレームキー５１０及びフィルタキー５１１より一回り大きい形状である。中止キー５１２が押されると、ＲＡＭに記憶されているデータが消去され、印刷中の文書は印刷が中止され余白を残して用紙排出口９４から排出される。
【００２７】
表示手段としての表示部４は、ハウジング９上面に操作部５の奥に隣接して備えられる。表示部４は、セグメント式の液晶パネルを有し、識別子に対応した印刷用紙サイズ、印刷用紙種類等の印刷条件を表示する。液晶パネルは、選択セクション４０１、並びに印刷条件の細目を表示する用紙種類セクション４０２、用紙サイズセクション４０３、レイアウトセクション４０４、写真サイズセクション４０５、写真選択セクション４０６、枚数セクション４０７、画質セクション４０８及び自動調整セクション４０９に分かれている。液晶パネルの全セグメントを点燈させた状態を図３に示す。
【００２８】
選択セクション４０１は、上キー５０６と下キー５０７によって、セクションを選択的に指し示す三角形を表示し、そのセクションをアクティブにするセクションである。アクティブなセクションでは、右キー５０９と左キー５０８によって表示を切り替えることが可能である。
【００２９】
用紙種類セクション４０２は、普通紙、フォトプリント紙及びスーパーファイン紙に選択肢の表示が切り替わるセクションである。
用紙サイズセクション４０３は、はがき、フォトカード及びＡ４に選択肢の表示が切り替わるセクションである。
【００３０】
レイアウトセクション４０４は、全面、上段、下段、２分割、４分割、インデックス及び切り取りガイド付き等に選択肢の表示が切り替わるセクションである。切取ガイド付きが選択されると画像にトンボを付して印刷することが可能である。
写真サイズセクション４０５は、４Ｌ、２Ｌ、４×６、Ｌ、Ｅ及びカードに選択肢の表示が切り替わるセクションである。写真サイズセクション４０５の表示は、用紙サイズとレイアウトの設定によって決定される。
【００３１】
写真選択セクション４０６は、記録媒体に記録されている画像データの識別コードや記録媒体に記録されている画像ファイル及び合成用ファイルの総数として０から１９９までの数字を表示するセクションである。
枚数セクション４０７は、フレームカードに記録されている合成用データのフレーム番号又は印刷枚数として０から１９９までの数字を表示するセクションである。
【００３２】
画質セクション４０８は、高画質、高速、超高画質に選択肢の表示が切り替わるセクションである。
自動調整セクション４０９は、オートフォトファインとなしに選択肢の表示が切り替わるセクションである。オートフォトファインが選択されると画像データが自動で画質調整されて印刷される。
【００３３】
印刷部２は、モータにより駆動される搬送ローラと、搬送ローラに接触して摩擦により用紙を搬送する従動ローラと、インクタンクとインクジェットヘッドを搭載したキャリッジと、ステップモータと、用紙の搬送される方向と直行する方向に備えられるキャリッジレールとを有し、ＣＰＵによって制御される。印刷部２は、搬送ローラと従動ローラが回転することにより、用紙供給口９３から用紙排出口９４に用紙を搬送し、搬送される用紙に対し公知のインクジェット方式により印刷を行う。詳しくは、用紙と対向する位置でステップモータにより駆動されるキャリッジがキャリッジレール上を往復移動し、搬送ローラによって搬送される用紙にインクジェットヘッドからインクタンク内のインクを噴射して印刷を行う。なお、印刷部２にレーザ方式やドットインパクト方式等を用いることも可能である。
【００３４】
ガイド部６は、図２に示すようにハウジング９前面下方に備えられる。ガイド部６は制御部３によって駆動されるスピーカ６１を有し、ＲＯＭから読み出す音声データを音声として出力する。
【００３５】
以下、インデックスプリント、フレーム設定及び合成プリントの作動モードに分けてプリンタ１の作動について説明する。
電源スイッチ９１をオンにすると、制御用プログラムが立ち上がり、ガイド部６は、メモリカードの挿入を促す「カードを挿入してください。」という音声を発する。
【００３６】
（１）インデックスプリント
カードスロット７１にデジタルカメラで画像ファイルを記録したメモリカードが挿入された後、インデックスキー５０３が押されるとインデックスキー５０３が点燈する。表示部４には、図４に示すように制御用プログラムのデフォルトの設定として、用紙種類セクション４０２にフォトプリント紙、用紙サイズセクション４０３にはがき、レイアウトセクション４０４にインデックス、画質セクション４０８に高速及び写真選択セクション４０６にメモリカードに記録されている画像ファイルの総数が表示され、枚数セクション４０７に印刷枚数として１が表示される。
【００３７】
点滅しているプリント開始キー５０１が押されると全ての画像ファイルに記録されたサムネイル画像データを読み出し、はがきサイズの用紙１枚につき縦４行横５列に２０コマの画像を写真番号付きのインデックスとして印刷する。サムネイル画像データを読み出して印刷するため印刷スピードは非常に高速である。
【００３８】
インデックスプリントでは、上述の操作と同様の操作によって、フレームカードに記録された合成用データのインデックスを合成用画像にフレーム番号を付して印刷することが可能である。ユーザは、合成用データのインデックスを印刷することによってそのフレームカードにどのような合成用データが記録されているかを容易に知ることができる。
【００３９】
（２）フレーム設定
フレームキー５１０を押されると、ガイド部６はフレームカードの挿入を促す「フレームカードを挿入してください。」という音声を発する。写真が記録されたメモリカード又はフレームカードをカードスロット７１に挿入すると、ＣＰＵは、それらに記録されている全ての画像ファイル又は合成用ファイルの識別子を順に検査する。ＣＰＵは、挿入されたメモリカードが画像データが記録されているメモリカードであるか、或いは合成用ファイルが記録されているフレームカードであるかを識別子によって判別する。識別子が「ｊｐｇ．」等の画像ファイルを示すものである場合、メモリカードに画像データが記録されていると判別され、全印刷キー５０２が点燈し、全画像データを１コマずつ印刷する作動モードに移行する。識別子の全てが「ｆｒｍ．」等の合成用ファイルを示すものである場合、フレームカードがカードスロット７１に挿入されていると判別し、識別子によって合成用ファイルの種類が単一であるか複数であるかを判別する。
【００４０】
▲１▼画像データの種別が単一である場合
識別子が単一である場合、ＣＰＵは、ＲＯＭのテーブルを参照することにより表示部４に識別子に対応する印刷条件を表示する。例えば、識別子が「ｍｓｇ．」である場合、表示部４には、用紙サイズセクション４０３にはがき、レイアウトセクション４０４に上段、写真サイズセクション４０５にカード、写真選択セクション４０６にメモリカードに記録されている合成用ファイルの総数および枚数セクション４０７に０が表示される。このとき、枚数セクション４０７がアクティブである。この状態では、図５に示すように枚数セクション４０７で右キー５０９又は左キー５０８を操作して画像データに合成する合成用データのフレーム番号を指定することができる。１コマキー５０４が押されるとフレーム番号が確定され、確定したフレーム番号に対応する合成用データがその合成用データの識別子とともにＲＡＭに記憶される。１コマキー５０４が押される時に枚数セクションの数字が０である場合、フレームが確定されずに操作は無効になる。
【００４１】
この後、合成プリントの作動モードに移行し、ガイド部６は「写真を記録したカードを挿入してください。」という画像データを記録したメモリカードの挿入を促す音声を発する。
【００４２】
▲２▼合成用データの種別が複数ある場合
識別子が単一でない場合、印刷条件は表示部４に表示されず、フレームカードに記録された画像ファイルの総数が写真選択セクション４０６に表示され、フレーム番号が未選択であることを表わす０が枚数セクション４０７に表示される。このとき、枚数セクション４０７がアクティブである。この状態では枚数セクション４０７で右キー５０９又は左キー５０８を操作し、画像データに合成する合成用データのフレーム番号を指定することができる。フレーム番号が指定されると指定されたフレーム番号に対応する識別子を用いてＲＯＭのテーブルが参照されることにより、識別子に対応する印刷条件が表示部４に表示される。１コマキー５０４を押すとフレーム番号が確定され、確定したフレーム番号に対応する合成用データがその合成用データの識別子とともにＲＡＭに記憶される。１コマキー５０４が押される時に枚数セクションの数字が０である場合、フレーム番号が確定されずに操作は無効になる。
【００４３】
この後、合成プリントの作動モードに移行し、ガイド部６は「写真を記録したカードを挿入してください。」という画像データを記録したメモリカードの挿入を促す音声を発する。
【００４４】
（３）合成プリント
画像データを記録したメモリカードをカードスロット７１に挿入すると、メモリカードに記録された画像データから合成用データと合成して印刷しようとする画像データを選択することができる。
このとき、プリント開始キー５０１は点滅し、写真選択セクション４０６がアクティブとなり、右キー５０９又は左キー５０８を操作してインデックスに印刷された画像のうち印刷したい画像の写真番号を写真選択セクション４０６で指定することができる。点滅しているプリント開始キー５０１を押すと写真番号が確定され、ＲＡＭに格納されている合成用データの識別子によって決まるパラメータを用いて、写真番号に対応する画像データと合成用データとが合成され、印刷データがＲＡＭに生成される。
【００４５】
ＲＡＭに生成された印刷データに基づいて印刷部２で印刷が開始されると、ＲＡＭに格納された識別子が「ｍｓｇ．」である場合、デジタルカメラで記録した画像１００に文字とイラスト１０１が合成されて図７に示すような印刷物が感性する。ＲＡＭに格納されて識別子が「ｆｒｍ．」である場合、確定された合成用データの種類が１６分割の写真画像の装飾枠である場合、デジタルカメラで記録した写真２００に装飾枠２０１が合成されて１６コマの図８に示すような印刷物が完成する。
以上、プリンタ１の作動について説明した。
【００４６】
本実施例によるプリンタによると、デジタルカメラによって記録された画像データに対し所定の合成用データに対応した合成用のパラメータ及び印刷条件を自動的に設定し、文字、イラスト、装飾枠等を合成した印刷物をプリンタ単体で容易に作成することができる。
また、合成用データに対応した印刷条件が表示部に表示させるため、ユーザは出力に必要な印刷用紙サイズ、印刷用紙の種類を容易に知ることができる。
【００４７】
また、デジタルカメラによって記録された画像データに他の画像を合成する処理を短時間で実行し所望の印刷物を作成することができる。
また、ＰＣ上で画像を処理することなく画像に対し種々の加工を施すことができるため、ユーザはデジタルカメラの用途を広げることができる。
尚、上記実施例ではプリンタ単体で画像を合成して印刷する実施例について説明したが、プリンタをＰＣに接続し画像データをＰＣから取得することも可能である。このようにＰＣに接続する場合、ＰＣからデータを受信するための入出力インタフェイスによってデータ取得手段を構成する。
【図面の簡単な説明】
【図１】本発明の一実施例によるプリンタを示すブロック図である。
【図２】本発明の一実施例によるプリンタを示す斜視図である。
【図３】本発明の一実施例における操作部と表示部を示す平面図である。
【図４】本発明の一実施例における操作部と表示部を示す平面図である。
【図５】本発明の一実施例における操作部と表示部を示す平面図である。
【図６】本発明の一実施例における操作部と表示部を示す平面図である。
【図７】本発明の一実施例によるプリンタによって作成された印刷物を示す模式図である。
【図８】本発明の一実施例によるプリンタによって作成された印刷物を示す模式図である。
【図９】本発明の一実施例によるプリンタにおけるパラメータを格納したテーブルを示す模式図である。
【図１】
2004001483.tif 000003
【図２】
2004001483.tif 000004
【図３】
2004001483.tif 000005
【図４】
2004001483.tif 000006
【図５】
2004001483.tif 000007
【図６】
2004001483.tif 000008
【図７】
2004001483.tif 000009
【図８】
2004001483.tif 000010
【図９】
2004001483.tif 000011